(57)【要約】【課題】MPEG2のデコーダ1にH.264の半二重方式のトランスコーダ2を付加したシステムにおいて、録画と再生が同時に並行して行えるようにすることを目的とする。【解決手段】第１の方式(MPEG2)映像データをデコードするデコーダ1と、デコーダからのMPEG2映像データを第２の方式(H.264)映像データにエンコードしてデコーダ1に出力すると共に、デコーダからのH.264映像データをデコードしてデコーダに出力する半二重方式のトランスコーダ2と、を備え、デコーダが、MPEG2及びH.264映像データの入出力を行う映像データ録画再生装置であって、デコーダ1は、H.264映像データを入力または出力する場合に、MPEG2映像データを並列に入力または出力する。【選択図】図４
2008277880.tif 000002
【特許請求の範囲】
【請求項１】
第１の方式でエンコードされた映像データをデコードするデコーダと、
前記デコーダから供給される前記第１の方式でエンコードされた映像データを、前記第１の方式より圧縮率の高い第２の方式でエンコードして前記デコーダに出力すると共に、前記デコーダから供給される前記第２の方式でエンコードされた映像データをデコードして前記デコーダに出力し、エンコード処理とデコード処理の一方のみを同時に行うことが可能な半二重方式のトランスコーダと、を備え、
前記デコーダが、前記第１及び第２の方式でエンコードされた映像データの入出力を行う、映像データ録画再生装置であって、
前記デコーダは、前記第２の方式でエンコードされた映像データを入力または出力する場合に、前記第１の方式でエンコードされた映像データを並列に入力または出力することを特徴とする映像データ録画再生装置。
【請求項２】
前記デコーダは、外部から供給され前記トランスコーダにおいて前記第２の方式でエンコードされた映像データを出力する場合に、外部から供給される前記第１の方式でエンコードされた映像データを出力することを特徴とする請求項１に記載の映像データ録画再生装置。
【請求項３】
操作指示に応じて、前記デコーダが、外部から供給され前記トランスコーダにおいて前記第２の方式でエンコードされた映像データを出力している場合に、外部から供給されて出力された前記第１の方式でエンコードされた映像データを再生する追いかけ再生処理を行うことを特徴とする請求項２に記載の映像データ録画再生装置。
【請求項４】
前記デコーダは、前記追いかけ再生処理が終了した後、外部から供給されて出力された前記第１の方式でエンコードされた映像データを消去または無効化することを特徴とする請求項３に記載の映像データ録画再生装置。
【請求項５】
前記デコーダが出力された前記第２の方式でエンコードされた映像データを読み出して前記トランスコーダに供給し、前記トランスコーダが供給された前記第２の方式でエンコードされた映像データを再生している場合に、操作指示に応じて、前記デコーダは、外部から供給される前記第１の方式でエンコードされた映像データを出力することを特徴とする請求項１に記載の映像データ録画再生装置。
【請求項６】
前記デコーダは、前記トランスコーダの待機中に、前記第２の方式でエンコードされた映像データの再生と並行して出力した前記第１の方式でエンコードされた映像データを、入力して前記トランスコーダに供給し、
前記トランスコーダは、供給された前記第１の方式でエンコードされた映像データを前記第２の方式でエンコードして前記デコーダに供給し、
前記デコーダは、供給された前記第２の方式でエンコードされた映像データを出力する、再録画処理を行うことを特徴とする請求項５に記載の映像データ録画再生装置。
【請求項７】
前記デコーダは、前記再録画処理中または前記再録画処理が終了した後、前記第２の方式でエンコードされた映像データの再生と並行して出力した前記第１の方式でエンコードされた映像データを消去または無効化することを特徴とする請求項６に記載の映像データ録画再生装置。
【請求項８】
前記トランスコーダは、前記第１の方式でエンコードされた映像データをデコードするデコーダを備え、再生された前記映像データを前記第２の方式でエンコードすることを特徴とする請求項１に記載の映像データ録画再生装置。
【請求項９】
第１の方式でエンコードされた映像データをデコードするデコーダと、
前記デコーダから供給される前記第１の方式でエンコードされた映像データを、前記第１の方式より圧縮率の高い第２の方式でエンコードして前記デコーダに出力すると共に、前記デコーダから供給される前記第２の方式でエンコードされた映像データをデコードして前記デコーダに出力するトランスコーダと、
前記映像データを記憶する記憶装置であって、前記デコーダを介して前記映像データが入力及び出力される記憶装置と、を備え、
前記デコーダは、前記第１及び第２の方式でエンコードされた映像データの前記記憶装置との間の入出力を行い、
前記トランスコーダは、前記第１の方式でエンコードされた映像データを前記第２の方式でエンコードする処理と、前記第２の方式でエンコードされた映像データをデコードする処理の一方のみを同時に行うことが可能な半二重方式である映像データ録画再生システムであって、
前記デコーダは、前記記憶装置との間で、前記第２の方式で符号化された映像データを入力または出力する時に、前記第１の方式でエンコードされた映像データを並列に入力または出力することを特徴とする映像データ録画再生システム。
【請求項１０】
第１の方式でエンコードされた映像データをデコードするデコーダと、
前記デコーダから供給される前記第１の方式でエンコードされた映像データを、前記第１の方式より圧縮率の高い第２の方式でエンコードして前記デコーダに出力すると共に、前記デコーダから供給される前記第２の方式でエンコードされた映像データをデコードして前記デコーダに出力し、エンコード処理とデコード処理の一方のみを同時に行うことが可能な半二重方式のトランスコーダと、を使用して、前記第１及び第２の方式でエンコードされた映像データの記憶装置との間の入出力を、前記デコーダを介して行う、映像データ録画再生方法であって、
前記デコーダと前記記憶装置との間で、前記第２の方式でエンコードされた映像データを入力または出力する場合に、前記第１の方式でエンコードされた映像データを並列に入力または出力することを特徴とする映像データ録画再生方法。
【発明の詳細な説明】
【技術分野】
【０００１】
本発明は、ＭＰＥＧ２方式で符号化（エンコード）されたデジタル放送信号など外部から供給される映像データを、ハードディスクドライブ（ＨＤＤ）装置やデジタルビデオディスク（ＤＶＤ）装置などに記憶する録画を行うと共に、記憶した映像データを再生（復号化（デコード））して出力するハードディスクレコーダなどの映像データ録画再生システムに関し、特にＭＰＥＧ２方式より高効率のエンコードが可能なＨ．２６４方式でのエンコード及びデコードを行うトランスコーダを付加した映像データ録画再生装置に関する。
【背景技術】
【０００２】
放送信号をＭＰＥＧ２方式でエンコードしたデジタル放送が行われている。また、ＨＤＤ装置やＤＶＤ装置などの記憶装置の高性能化に伴い、記憶装置にエンコードされた映像データを記憶する録画を行うと共にデコードして再生する映像データ録画再生システムが家庭にも普及し始めている。このようなパーソナルユースの映像データ録画再生システムは、生産量は大きいが、低価格であることが要求されるので、主要部分をＬＳＩ化して低コスト化が図られている。従って、映像データ録画再生システムの主要回路は、ＭＰＥＧ２方式のデコーダ用標準ＬＳＩを利用して実現している。一般に、放送信号は、画像データと音声データに分離して処理されるが、ここでは、映像データには画像データと音声データが含まれ、映像データ処理には画像データ処理と音声データ処理が含まれるものとして説明を行う。
【０００３】
現在使用されているデコーダ用標準ＬＳＩは、ＭＰＥＧ２映像データを復号（デコード）して再生する機能、ＨＤＤ装置などの記憶装置とのインターフェース機能、及びビデオ信号の生成機能などを、実現すると共に、録画中の映像データを最初から再生する追いかけ再生機能や、記憶装置に記憶されている映像データを再生している場合に外部から供給される他の映像データを記憶する同時録画再生機能などを実現することが可能である。
【０００４】
図１の（Ａ）は、ＭＰＥＧ２デコーダ用標準ＬＳＩを使用して記憶装置にＭＰＥＧ２映像データを記憶するシステムにおける追いかけ再生機能時の動作を、図１の（Ｂ）は同時録画再生機能時の動作を説明する図である。
【０００５】
図１の（Ａ）に示すように、ユーザによりＭＰＥＧ２映像データの録画処理の途中で追いかけ再生処理を指示する操作が行われる。それに応じて、ＭＰＥＧ２デコーダは、ＭＰＥＧ２映像データの録画を続行しながら、既に録画したＭＰＥＧ２映像データを記憶装置から読み出して再生し、出力信号に変換する。
【０００６】
図１の（Ｂ）に示すように、ユーザによりＭＰＥＧ２映像データの再生処理の途中で入力されるＭＰＥＧ２映像データを録画する同時録画再生処理を指示する操作が行われる。それに応じて、ＭＰＥＧ２デコーダは、ＭＰＥＧ２映像データの再生を続行しながら、新たなＭＰＥＧ２映像データを記憶装置に記憶する。
【０００７】
一方、ＭＰＥＧ２より高い圧縮率を有し、より高品質の画像を再生できる新しい符号化方式が検討されており、例えばＨ．２６４方式などが提案されている。この方式で符号化（エンコード）すれば、同じ映像を少ないデータ量に符号化できるので、同じ記憶容量の記憶装置であればより長時間の映像を記憶できることになる。そこで、新しい符号化方式を採用することが考えられるが、放送信号はＭＰＥＧ２方式でエンコードされており、新しい符号化方式の処理を行うＬＳＩは回路規模が大きく高価であるという問題がある。また、上記のようにＭＰＥＧ２デコーダ用標準ＬＳＩが広く普及しており、ＭＰＥＧ２デコーダ用標準ＬＳＩは比較的低価格である。そこで、高効率の方式で符号化された映像データを記憶する映像データ録画再生システムを低価格で実現するために、図２に示すような基本構成を有する映像データ録画再生システムが考えられている。
【０００８】
図２の映像データ録画再生システムは、ＭＰＥＧ２デコーダ１と、Ｈ．２６４方式の符号化（エンコード）及び復号化（デコード）を行うＨ．２６４トランスコーダ２と、ＨＤＤ装置やＤＶＤ装置などの記憶装置３と、システムの制御を行うＣＰＵ４と、を有する。なお、ＭＰＥＧ２デコーダ１が、ＣＰＵ４の機能を有する場合もある。ＭＰＥＧ２デコーダ１は、標準ＬＳＩで構成される。外部からＭＰＥＧ２デコーダ１に供給される入力映像信号は、デジタル放送信号や他のデジタル映像機器から供給されるデジタル映像信号であり、ＭＰＥＧ２方式で符号化（エンコード）されているＭＰＥＧ２映像データである。Ｈ．２６４トランスコーダ２は、低コストで実現することを考慮して、Ｈ．２６４エンコード機能とＨ．２６４デコード機能が同時には動作しない半二重方式である。
【０００９】
入力映像データを録画する場合には、ＭＰＥＧ２デコーダ１は、入力映像データをＨ．２６４トランスコーダ２に供給する。Ｈ．２６４トランスコーダ２は、ＭＰＥＧ２デコード機能を利用して入力映像データを再生した後、Ｈ．２６４エンコード機能を利用してＨ．２６４エンコード機能を利用して符号化し、Ｈ．２６４映像データをＭＰＥＧ２デコーダ１に出力する。ＭＰＥＧ２デコーダ１は、Ｈ．２６４トランスコーダ２から供給されたＨ．２６４映像データを記憶装置３に記憶する。録画した映像データを再生する場合には、ＭＰＥＧ２デコーダ１は、記憶装置３からＨ．２６４映像データを読み出してＨ．２６４トランスコーダ２に供給する。Ｈ．２６４トランスコーダ２は、Ｈ．２６４映像データをＨ．２６４デコード機能を利用して再生し、再生映像データをＭＰＥＧ２デコーダ１に出力する。ＭＰＥＧ２デコーダ１は、Ｈ．２６４トランスコーダ２から供給された再生映像データをアナログビデオ出力やデジタルＨＤビデオ出力（ＨＤＭＩ）に変換して出力する。
【００１０】
上記のように、図２の映像データ録画再生システムは、圧縮率の高いＨ．２６４映像データのみを、記憶装置３に記憶する。これにより、記憶装置３の記憶容量を有効に使用することができ、長時間録画が可能である。
【００１１】
【特許文献１】特開２００１−３６８４４号公報
【特許文献２】特開２００１−４５４３６号公報
【発明の開示】
【発明が解決しようとする課題】
【００１２】
上記のように、ＭＰＥＧ２デコーダ１に半二重方式のトランスコーダ２を付加した図２のシステムでも、通常の録画及び再生動作を行う上では問題はない。しかし、前述のように、ＭＰＥＧ２デコーダ用標準ＬＳＩは、追いかけ再生機能や同時録画再生機能などを実現することが可能であり、この標準ＬＳＩを使用して記憶装置にＭＰＥＧ２映像データを記憶するシステムは、追いかけ再生機能や同時録画再生機能などを有するのが一般的であった。そのため、図２の記憶装置にＨ．２６４映像データを記憶する映像データ録画再生システムにも同様の機能を実現することが要求される。
【００１３】
しかし、図１の（Ａ）及び（Ｂ）に示すように、追いかけ再生や同時録画再生を行うには、録画と再生を同時に平行して行う必要がある。図２のシステムでは、Ｈ．２６４映像データが記憶装置３へ入出力されるため、Ｈ．２６４映像データの録画と再生を同時に平行して行う必要があるが、トランスコーダ２は半二重方式であるため、これらの処理を同時に平行して行うことはできない。そのため、図２のシステムでは、追いかけ再生機能や同時録画再生機能を実現できないという問題があった。
【００１４】
このように、第１の符号化方式のデコーダに、第１の符号化方式より圧縮率の高い第２の符号化方式の半二重方式のトランスコーダを付加したシステムでは、トランスコーダが半二重方式であるために、録画と再生が同時に並行して行えないという問題があった。
【００１５】
本発明は、このような問題を解決するもので、このような第１の符号化方式のデコーダに第２の符号化方式の半二重方式のトランスコーダを付加したシステムにおいて、録画と再生が同時に並行して行えるようにすることを目的とする。
【課題を解決するための手段】
【００１６】
上記目的を実現するため、本発明の映像データ録画再生装置（システム）では、記憶装置を第１の方式で符号化（エンコード）された映像データを録画または再生するためのバッファとして利用し、デコーダは、第１の方式でエンコードされた映像データを録画または再生する、すなわち記憶装置との間で第２の方式でエンコードされた映像データを入出力するのと並行して、第１の方式でエンコードされた映像データを録画または再生する、すなわち記憶装置との間で第１の方式でエンコードされた映像データを入出力する。第１及び第２の方式は、どのような方式でもよいが、例えば、第１の方式はＭＰＥＧ２方式であり、第２の方式はＨ．２６４方式であり、以下第１の方式はＭＰＥＧ２方式であり、第２の方式はＨ．２６４方式であるとして説明を行うが、これに限定されるものではない。
【００１７】
前述のように、図２のシステムでは、記憶装置３の記憶容量を有効に利用するために、記憶装置３に記憶する映像データは第２の方式でエンコードされた映像データ（Ｈ．２６４映像データ）のみであった。前述のように、（ＭＰＥＧ２）デコーダは、（ＭＰＥＧ２）映像データの録画と再生を並行して行う機能を有しており、（Ｈ．２６４）映像データの符号化（エンコード）処理及び復号化（デコード）処理はトランスコーダで行われるので、デコーダは（ＭＰＥＧ２）映像データの録画と再生を行うことが可能である。この（ＭＰＥＧ２）映像データの録画と再生を利用すれば、追いかけ再生機能や同時録画再生機能などを実現可能である。記憶装置は（ＭＰＥＧ２）映像データのバッファとして利用するので、これらの機能による動作が終了した場合には、記憶装置に記憶された（ＭＰＥＧ２）映像データは消去や無効化される。
【００１８】
録画時には、外部から供給される（ＭＰＥＧ）映像データをトランスコーダにおいて（Ｈ．２６４）映像データにエンコードし、デコーダは、この（Ｈ．２６４）映像データと共に外部から供給される（ＭＰＥＧ）映像データを記憶装置に記憶する。そして、操作指示に応じて追いかけ再生処理を行う場合には、デコーダは、（Ｈ．２６４）映像データ及び（ＭＰＥＧ２）映像データを記憶装置に記憶している時に、記憶装置に記憶された（ＭＰＥＧ２）映像データを再生する。デコーダは、追いかけ再生処理が終了した場合、追いかけ再生処理のために記憶装置に記憶した（ＭＰＥＧ２）映像データを消去または無効化する。この処理は自動的に起動されることが望ましい。これにより、記憶装置に記憶されるのは（Ｈ．２６４）映像データのみとなり、記憶装置の記憶容量の利用効率が悪化することはない。
【００１９】
（Ｈ．２６４）映像データの再生中に、録画が指示されて同時録画再生処理を行う場合には、デコーダは、外部から供給される前記第１の方式でエンコードされた（ＭＰＥＧ２）映像データを記憶装置に一旦記憶し、トランスコーダが待機中になったら、記憶した（ＭＰＥＧ２）映像データを記憶装置から読み出してトランスコーダで（Ｈ．２６４）映像データにエンコードした後、デコーダが記憶装置に（Ｈ．２６４）映像データを記憶する再録画処理を行う。再録画処理は、トランスコーダの待機中に行われることが望ましく、再録画処理後に不要になった（ＭＰＥＧ２）映像データは、消去するか無効化する。この処理は自動的に起動されることが望ましい。
【００２０】
トランスデコーダは、供給される（ＭＰＥＧ２）映像データを再生した後（Ｈ．２６４）エンコードするので、（ＭＰＥＧ２）映像データをデコードするデコーダを備えることが望ましい。
【発明の効果】
【００２１】
本発明によれば、第１の符号化方式のデコーダに第２の符号化方式の半二重方式のトランスコーダを組み合わせたシステムにおいて、ハードウエアを変更せずに録画と再生が同時に並行して行えるようになる。これにより、高機能の映像データ録画再生システムが低コストで実現できる。
【発明を実施するための最良の形態】
【００２２】
図３は、本発明の実施例の映像データ録画再生システム（映像データ録画再生装置）の概略構成を示すブロック図である。図示のように実施例の映像データ録画再生システムは、図２のシステムと同様に、ＭＰＥＧ２デコーダ１と、半二重方式Ｈ．２６４トランスコーダ２と、ＨＤＤ装置やＤＶＤ装置などの記憶装置３と、制御用ＣＰＵ４と、を有する。言い換えれば、実施例の映像データ録画再生システムは、図２のシステムと同じハードウエア構成を有する。ＭＰＥＧ２デコーダ１は標準ＬＳＩで構成され、Ｈ．２６４トランスコーダ２もＬＳＩで構成される。
【００２３】
図示のように、ＭＰＥＧ２デコーダ１は、出力する映像データを選択するトランスポートストリーム（ＴＳ）デマルチプレクサ４１と、ＴＳデマルチプレクサ４１から出力されるＭＰＥＧ２映像データのビデオデータを通常ビデオデータに再生（デコード）するＭＰＥＧ２ビデオデコーダ５１と、ＭＰＥＧ２ビデオデコーダ５１の出力する通常映像データとトランスコーダ２の出力する通常映像データの一方を選択するマルチプレクサ５２と、マルチプレクサ５２の出力する通常映像データの倍率（スケール）を変換するスケーラ(scaler:SCL)５３と、マルチプレクサ５２の出力する通常映像データの倍率（スケール）変換及びインターレースデータからプログレッシブデータへの（Interlace-Progressive)変換を行うスケーラ／Ｉ−Ｐ(SCL/I-P)５４と、ＳＣＬ５３の出力からアナログビデオ出力を生成するビデオエンコーダ５５と、ＳＣＬ／Ｉ−Ｐ５４の出力とグラフィックス（ＧＦＸ）５７の出力を合わせてデジタルハイビジョンビデオ出力（ＨＤＭＩ）を生成する加算回路５６と、ＴＳデマルチプレクサ４１から出力される音声データを再生（デコード）して音声出力を生成する音声デコーダ５８と、音声デコーダ５８からの音声出力とトランスコーダ２からの音声出力の一方を選択して音声出力として出力するマルチプレクサ５９と、ＨＤＤ３とＴＳデマルチプレクサ４１との間で、記憶データを入出力するＨＤＤ／ＩＦ（インターフェース）６０と、バス５を介してＣＰＵ４と通信するためのＣＰＵインタフェース７１と、ＣＰＵインタフェース７１からの信号に基づいてデコーダ全体の制御を行う制御部７２と、を有する。ＨＤＤ／ＩＦ６０は、ＨＤＤ３にＭＰＥＧ２映像データ及びＨ．２６４映像データを記憶させ、ＨＤＤ３から記憶してあるＭＰＥＧ２映像データ及びＨ．２６４映像データを読み出すことが可能であり、それらを並列に行うことも可能である。
【００２４】
ＴＳデマルチプレクサ４１は、外部から入力されるＭＰＥＧ２映像データとＨＤＤ／ＩＦ６０から出力される（ＭＰＥＧ２またはＨ．２６４）映像データの一方を選択するマルチプレクサ４２と、マルチプレクサ４２の映像データからビデオデータと音声データを分離するデマルチプレクサ４３と、外部から入力されるＭＰＥＧ２映像データとＨＤＤ／ＩＦ６０から出力される（ＭＰＥＧ２またはＨ．２６４）映像データの一方を選択するマルチプレクサ４４と、外部から入力されるＭＰＥＧ２映像データとトランスコーダ２から出力されるＨ．２６４映像データの一方を選択するマルチプレクサ４５と、を有する。
【００２５】
以上説明したＭＰＥＧ２デコーダは、従来から使用されているものと同じであり、これ以上の説明は省略する。
【００２６】
トランスコーダ２は、マルチプレクサ４４から出力される（ＭＰＥＧ２またはＨ．２６４）映像データからビデオデータと音声データを分離するＡ／Ｖデマルチプレクサ６１と、Ａ／Ｖデマルチプレクサ６１から出力されるＭＰＥＧ２映像データのうちのビデオデータをデコードして通常ビデオデータを生成するＭＰＥＧ２ビデオデコーダ６２と、ＭＰＥＧ２ビデオデコーダ６２の出力する通常ビデオデータをＨ．２６４方式で符号化（エンコード）してＨ．２６４映像データ（のうちのビデオデータ）を生成するＨ．２６４ビデオエンコーダ６３と、Ａ／Ｖデマルチプレクサ６１から出力される音声データをデコードまたはエンコードする音声デコーダ／エンコーダ６４と、Ａ／Ｖデマルチプレクサ６１から出力されるＨ．２６４映像データ（のうちのビデオデータ）をデコードするＨ．２６４ビデオデコーダ６５と、Ａ／Ｖデマルチプレクサ６１から出力される処理情報、Ｈ．２６４ビデオエンコーダ６３の出力するＨ．２６４映像データ（のうちのビデオデータ）及び音声デコーダ／エンコーダ６４の出力する音声データを統合してＨ．２６４映像データを生成してマルチプレクサ４５に出力するマルチプレクサ６６と、バス５を介してＣＰＵ４と通信するためのＣＰＵインタフェース７３と、ＣＰＵインタフェース７３からの信号に基づいてトランスコーダ全体の制御を行う制御部７４と、
を有する。トランスコーダ２は、前述のように、Ｈ．２６４エンコード機能とＨ．２６４デコード機能は同時には動作しない半二重方式である。トランスコーダ２の構成も知られているので、これ以上の説明は省略する。
【００２７】
図４は、実施例のシステムにおける処理動作を説明する図である。一連の処理動作はＣＰＵ４により制御される。
【００２８】
図４の（Ａ）は、追いかけ再生の場合を示す。図４の（Ａ）に示すように、外部映像データの録画を指示する操作が行われると、Ｈ．２６４映像データ及びＭＰＥＧ２がＨＤＤ３に記憶される。
【００２９】
詳細には、デコーダ１は、マルチプレクサ４４を外部からのＭＰＥＧ２映像データを選択するように設定する。これによりＡ／Ｖデマルチプレクサ６１に外部からのＭＰＥＧ２映像データが供給される。Ａ／Ｖデマルチプレクサ６１は、ＭＰＥＧ２映像データのうちのＭＰＥＧ２ビデオデータをＭＰＥＧ２ビデオデコーダ６２に供給し、ＭＰＥＧ２映像データのうちの音声データを音声デコーダ／エンコーダ６４に供給する。ＭＰＥＧ２ビデオデコーダ６２は、ＭＰＥＧ２ビデオデータを通常のビデオデータに変換してＨ．２６４ビデオエンコーダ６３に供給する。Ｈ．２６４ビデオエンコーダ６３は、通常のビデオデータをＨ．２６４ビデオデータに符号化（エンコード）する。音声デコーダ／エンコーダ６４は、通常の音声データに変換した後符号化する。マルチプレクサ６６は、Ｈ．２６４ビデオエンコーダ６３からのＨ．２６４ビデオデータと音声デコーダ／エンコーダ６４からの符号化（エンコード）された音声データを合わせてＨ．２６４映像データを生成してマルチプレクサ４５に供給する。
【００３０】
マルチプレクサ４５は、外部からのＭＰＥＧ２映像データとマルチプレクサ６６からのＨ．２６４映像データを時分割でＨＤＤＩ／Ｆ６０に供給し、ＨＤＤＩ／Ｆ６０は、外部からのＭＰＥＧ２映像データとＨ．２６４映像データの両方を、ＨＤＤ３に記憶する。以下、指示された録画時間の間この処理を行う。
【００３１】
以上のように、本実施例では、録画時には外部からのＭＰＥＧ２映像データとＨ．２６４映像データの両方がＨＤＤ３に記憶される。この処理において、トランスコーダ２は、外部からのＭＰＥＧ２映像データの通常の映像データへのデコード処理とＨ．２６４映像データへのエンコード処理を行うが、デコーダ１は、外部からのＭＰＥＧ２映像データをそのままＨＤＤ３に記憶する処理を行うだけであり、ＭＰＥＧ２ビデオデコーダ５１及び音声デコーダ５８は、録画のためのエンコード処理は行わない。
【００３２】
上記の録画処理の途中で、ユーザが録画中の番組を録画の最初から再生するように指示する操作を行うと、追いかけ再生が開始される。追いかけ再生では、上記の録画処理と並行して、ＨＤＤ３に記憶されているＭＰＥＧ２映像データを読み出して再生する。
【００３３】
詳細には、ＨＤＤＩ／Ｆ６０は、録画のためのＨＤＤ３への記憶処理と並行して、録画中の番組のＭＰＥＧ２映像データを最初から読み出して、デマルチプレクサ４３に供給する。デマルチプレクサ４３は、ＭＰＥＧ２映像データのうちのＭＰＥＧ２ビデオデータをＭＰＥＧ２ビデオデコーダ５１に、音声データを音声デコーダ５８に供給する。ＭＰＥＧ２ビデオデコーダ５１は、ＭＰＥＧ２ビデオデータを通常のビデオデータに変換（デコード）し、マルチプレクサ５２に供給する。マルチプレクサ５２はこのビデオデータをＳＣＬ５３及びＳＣＬ／Ｉ−Ｐ５４に供給する。以下、ビデオデータは出力の形態に合わせて変換されて出力される。音声デコーダ５８は通常の音声データに変換（デコード）し、マルチプレクサ５９に供給する。マルチプレクサ５９はこの音声データを出力する。以下、録画した番組が終了するまでこの処理を行う。従って、この処理が終了するのは、早送りなどが行われない限り、番組の録画が終了した後、番組の録画から追いかけ再生が開始されるまでの時間だけ経過した時である。
【００３４】
以上のように、追いかけ再生処理は、デコーダ１の処理のみであり、トランスコーダ２は関与しない。ＨＤＤ／Ｉ−Ｆ６０は、外部からのＭＰＥＧ２映像データ及びＨ．２６４映像データのＨＤＤ３への書込みと、ＨＤＤ３からのＭＰＥＧ２映像データの読み出しを並列に行う。前述のように、デコーダ用標準ＬＳＩは、ＨＤＤ３への書込みとＨＤＤ３からの読み出しを並列に行うことが可能であり、このような処理を行うことが可能である。
【００３５】
追いかけ再生が終了すると、ＨＤＤ３のＭＰＥＧ２映像データは消去または後で上書き可能なように無効化される。
【００３６】
図５の（Ａ）は、録画及び追いかけ再生時のＨＤＤ３の記憶データの変化を説明する図である。最初ＨＤＤ３には、Ｈ．２６４映像データのみが記憶されている。新しい番組の録画が開始されると、それまで記憶されているＨ．２６４データに加えて、新しい番組のＨ．２６４映像データとＭＰＥＧ２映像データの記憶が行われる。録画が終了するまで追いかけ再生を指示する操作が行われない場合には、録画が終了した時にＭＰＥＧ２映像データを消去または無効化する。録画の途中で追いかけ再生を指示する操作が行われるとＭＰＥＧ２映像データの記憶と並行して読み出しが行われる。追いかけ再生が終了すると、ＭＰＥＧ２映像データを消去または無効化する。このようにして、録画及び追いかけ再生が終了した後は、ＨＤＤ３に記憶されている有効なデータはＨ．２６４映像データのみとなり、ＭＰＥＧ２映像データは記憶されない。
【００３７】
図４の（Ｂ）及び（Ｃ）は、同時録画再生の場合の処理動作を示し、図４の（Ｂ）は、Ｈ．２６４映像データの番組の再生が先に終了し、その後にＭＰＥＧ２映像データの番組の録画が終了する場合を示し、図４の（Ｃ）は、後から開始したＭＰＥＧ２映像データの番組の録画が先に終了し、その後にＨ．２６４映像データの番組の再生が終了する場合を示す。図４の（Ｂ）及び（Ｃ）に示すように、ＨＤＤ３に記憶されたＨ．２６４映像データの再生を指示する操作が行われると、Ｈ．２６４映像データがＨＤＤ３から読み出されて再生される。
【００３８】
詳細には、ＨＤＤＩ／Ｆ６０は、ＨＤＤ３から再生するＨ．２６４映像データを読み出しマルチプレクサ４４に供給する。マルチプレクサ４４は、このＨ．２６４映像データを選択してＡ／Ｖデマルチプレクサ６１に供給する。Ａ／Ｖデマルチプレクサ６１は、Ｈ．２６４映像データのうちのＨ．２６４ビデオデータをＨ．２６４ビデオデコーダ６５に供給し、Ｈ．２６４映像データのうちの音声データを音声デコーダ／エンコーダ６４に供給する。Ｈ．２６４ビデオデコーダ６５は、Ｈ．２６４ビデオデータを通常のビデオデータに変換してマルチプレクサ５２に供給する。音声デコーダ／エンコーダ６４は、音声データを通常の音声データに変換してマルチプレクサ５９に供給する。以下、追いかけ再生時と同様に出力が生成され、指示された番組の再生が終了するまでこの処理を行う。
【００３９】
上記の再生処理の途中で、ユーザが別の番組を録画するように指示する操作を行うと、同時録画再生が開始される。同時録画再生では、ＨＤＤ３に記憶されたＨ．２６４映像データの再生に並行して、ＨＤＤ３に外部からのＭＰＥＧ２映像データを記憶し、Ｈ．２６４映像データの再生とＭＰＥＧ２映像データの録画の両方が終了してトランスコーダ２が待機中になったら、記憶したＭＰＥＧ２映像データをＨＤＤ３から読み出してトランスコーダ２でＨ．２６４映像データに符号化した後、デコーダ１が再びＨＤＤ３に記憶する再録画処理を行う。
【００４０】
詳細には、デコーダ１は、マルチプレクサ４５を外部からのＭＰＥＧ２映像データを選択するように設定する。ＨＤＤＩ／Ｆ６０は、上記のＨＤＤ３からのＨ．２６４映像データの読み出し処理と並行して、外部からのＭＰＥＧ２映像データを記憶する処理を開始する。以下指示されたＨ．２６４映像データの番組の再生および外部からのＭＰＥＧ２映像データの番組の録画の両方が終了するまでこの処理を行う。
【００４１】
上記の再生及び録画処理で、トランスコーダ２はＨ．２６４映像データのデコードのみを行い、符号化（エンコード）処理は行わない。また、デコーダ１は、ＨＤＤ３からのＨ．２６４映像データの読み出しと、ＨＤＤ３へのＭＰＥＧ２映像データの記憶と、を行うだけで、デコード処理は行わない。
【００４２】
両方の処理が終了した時、すなわち、図４の（Ｂ）であればＭＰＥＧ２映像データの番組の録画が終了した時、図４の（Ｃ）であればＨ．２６４映像データの番組の再生が終了した時に、ＨＤＤＩ／Ｆ６０は、ＨＤＤ３からＭＰＥＧ２映像データを読み出し、マルチプレクサ４４を介してＡ／Ｖデマルチプレクサ６１に供給する。Ａ／Ｖデマルチプレクサ６１は、ＭＰＥＧ２映像データのうちのＭＰＥＧ２ビデオデータをＭＰＥＧ２ビデオデコーダ６２に供給し、ＭＰＥＧ２映像データのうちの音声データを音声デコーダ／エンコーダ６４に供給する。ＭＰＥＧ２ビデオデコーダ６２は、ＭＰＥＧ２ビデオデータを通常のビデオデータに変換してＨ．２６４ビデオエンコーダ６３に供給する。Ｈ．２６４ビデオエンコーダ６３は、通常のビデオデータをＨ．２６４ビデオデータに符号化（エンコード）する。音声デコーダ／エンコーダ６４は、通常の音声データに変換した後音声データを符号化する。マルチプレクサ６６は、Ｈ．２６４ビデオエンコーダ６３からのＨ．２６４ビデオデータと音声デコーダ／エンコーダ６４からのエンコードされた音声データを合わせてＨ．２６４映像データを生成して、マルチプレクサ４５を介してＨＤＤＩ・Ｆ６０に供給する。ＨＤＤＩ・Ｆ６０は、供給されたＨ．２６４映像データをＨＤＤ３に記憶する。以下、指示された録画時間の間この処理を行う。この間、ＨＤＤ３からのＭＰＥＧ２映像データの読み出し及びＨ．２６４映像データの記憶は並行して行われる。Ｈ．２６４映像データの記憶が終了すると、ＨＤＤ３のＭＰＥＧ２映像データは消去または後で上書き可能なように無効化される。
【００４３】
上記の処理で、トランスコーダ２はＨ．２６４映像データの符号化（エンコード）処理のみを行い、デコーダ１は、ＨＤＤ３からのＭＰＥＧ２映像データの読み出しと、ＨＤＤ３へのＨ．２６４映像データの記憶と、を行うだけで、デコード処理は行わない。
【００４４】
図５の（Ｂ）は、同時録画再生時のＨＤＤ３の記憶データの変化を説明する図である。最初ＨＤＤ３には、Ｈ．２６４映像データのみが記憶されており、再生指示に従ってＨ．２６４映像データの読み出しが行われる。次に、同時録画が指示されると、それまで記憶されているＨ．２６４データに加えて、新しい番組のＭＰＥＧ２映像データの記憶が行われる。再生及び録画が終了すると、記憶したＭＰＥＧ２映像データを読み出し、それから新たなＨ．２６４映像データを生成して、ＨＤＤ３に記憶される。この時、図示のように、ＨＤＤ３には元々のＨ．２６４映像データとＭＰＥＧ２映像データと、新しいＨ．２６４映像データが記憶されている。再録画が終了すると、ＭＰＥＧ２映像データが消去または無効化される。
【００４５】
以上、本発明の実施例を説明したが、本発明はこれに限定されるものではなく、各種の変形例が可能であるのはいうまでもない。
【産業上の利用可能性】
【００４６】
本発明は、第１の符号化方式のデコーダに第２の符号化方式の半二重方式のトランスコーダを組み合わせた映像データ録画再生システムに適用可能である。
【図面の簡単な説明】
【００４７】
【図１】従来のトランスコーダを有さない映像データ録画再生システムにおける処理例を説明する図である。
【図２】トランスコーダを有する映像データ録画再生システムの基本構成を示す図である。
【図３】本発明の実施例の映像データ録画再生システムの構成を示す図である。
【図４】実施例における処理例を説明する図である。
【図５】実施例の処理例に応じた記憶装置（ＨＤＤ）における記憶内容の変化を説明する図である。
【符号の説明】
【００４８】
１    （ＭＰＥＧ２）デコーダ
２    （Ｈ．２６４）トランスコーダ
３    記憶装置（ＨＤＤ）
【図１】
2008277880.tif 000003
【図２】
2008277880.tif 000004
【図３】
2008277880.tif 000005
【図４】
2008277880.tif 000006
【図５】
2008277880.tif 000007